(57)【要約】【課題】本発明の課題は、回転機構部分の直径が小さく、かつ少ない部品点数で高級なクリック感と高い耐久性を有するヒンジの新規な構造を提案するものである。【解決手段】相対的に回転可能であり、表面同士が対面しかつ押圧された、表面に凸部を有する凸ディスクと、表面に凹部を有する凹ディスクとを有するヒンジにおいて、前記凸ディスクの凸部と前記凹ディスクの凹部が嵌合した状態から回転して脱出するまでの間、凸部の稜線と凹部の稜線の角度が一致しないように、凸ディスクの凸部の広がり角度を凹ディスクの凹部の広がり角度より大きくし、かつ凸ディスクの凸部の広がり角度中心を回転中心からずらす事によって、常に押し合う傾斜面が斜めに当たり、点接触するようにしたことを特徴とするヒンジ。【選択図】図１
2010019357.tif 000002
【特許請求の範囲】
【請求項１】
相対的に回転可能であり、表面同士が対面しかつ押圧された、表面に凸部を有する凸ディスクと、表面に凹部を有する凹ディスクとを有するヒンジにおいて、前記凸ディスクの凸部と前記凹ディスクの凹部が嵌合した状態から回転して脱出するまでの間、凸部の稜線と凹部の稜線の角度が一致しないように、凸ディスクの凸部の広がり角度を凹ディスクの凹部の広がり角度より大きくし、かつ凸ディスクの凸部の広がり角度中心を回転中心からずらす事によって、常に押し合う傾斜面が斜めに当たり、点接触するようにしたことを特徴とするヒンジ。
【請求項２】
前記凸部の稜線と前記凹部の稜線のいずれか一方かまたは両方がアール加工されていることを特徴とする請求項１に記載のヒンジ。
【請求項３】
前記凸ディスクと随伴して回転する第一の取付け部材と前記凹ディスクと随伴して回転する第二の取付け部材を有することを特徴とする請求項１または２に記載のヒンジ。
【請求項４】
前記第二の取付け部材と前記凹ディスクが一体であることを特徴とする請求項３に記載のヒンジ。
【請求項５】
前記第一の取付け部材と前記第二の取付け部材の相対的回転角度を規制する回転規制手段を有することを特徴とする請求項３または４に記載のヒンジ。
【請求項６】
請求項１〜５のいずれか１項に記載のヒンジが、他のヒンジの可動部に固定されていることを特徴とする二軸ヒンジ。
【発明の詳細な説明】
【技術分野】
【０００１】
本発明は、ヒンジに関し、特に携帯電話、携帯端末等の小型機器類の開閉・折り畳み・回転機構部に好適に用いられるヒンジに関する。
【背景技術】
【０００２】
携帯電話、携帯端末等の電子機器において、可動式のディスプレイ部分を有するものについては、ディスプレイ部分を開閉したり、回転させたりするために開閉ヒンジや回転ヒンジが用いられる場合が多い。これらの用途に使用されるヒンジの多くは、ディスプレイを所定の位置にクリックストップさせるための機構を必要とするが、近年、機器の高級化に伴い、クリックストップさせた時の手ごたえや音、またさらに停止位置から動かし始める時の感触など従来あまり問題にされていなかった品質特性について、レベルの高い要求がなされるようになってきた。
【０００３】
特許文献１に示された複数のトルク発生部を有する２軸ヒンジは、携帯電話やノート型パソコン用の２軸ヒンジ部品である。この２軸ヒンジ部品は、その名称に示されたように、開閉および回転時の摩擦トルクを発生するトルク発生部をそれぞれの軸に複数配置することにより、要求される回転摩擦トルクを複数のトルク発生部で分割して発生することにしたものであり、その結果１組当りの負荷が軽減され、トルク発生部の摩耗が起きにくくなるために特性の安定した長寿命の２軸ヒンジを実現したものである。
【０００４】
特許文献１に示された２軸ヒンジに用いられているトルク発生機構は、片面に摩擦トルクに変化を与える凹、凸、および平面を有し、他面が平面を有する２個の回転軸用回転カムと、片面に摩擦トルクに変化を与える凹、凸、および平面を有し、他面が平面を有する２個の回転軸用固定カムとを、１個のコイルばねの反発力によって押し付けることにより、摩擦トルクを発生するものである。
【０００５】
特許文献１には、この回転カムおよび固定カムに設けられた凹、凸、および平面の詳細な形状に関する記載が見当たらず、唯一、段落００１６に「凹凸形状は何れのカムに設置しても良く、また凹凸形状が円周上に渡って延長されたものでも良い。凹み部は、穴もしくは溝でも良い。」と記載されているのみである。特許文献１に開示された発明の主眼は、各軸に複数のトルク発生機構を設けたことにあり、事実複数のトルク発生機構を設けた場合には、各トルク発生機構にかかる負荷が軽減されるので、トルク発生機構それ自身の構造は、重要性を持たないものと推定される。
【０００６】
しかしながら、トルク発生機構を複数設けることは、部品点数の増加をもたらし、コストアップにつながると共にヒンジ機構部分の小型化に制約を生じるものであり、満足できるものではない。
【０００７】
特許文献２に示された二軸ヒンジの回転機構は、特許文献１に示された２軸ヒンジと同様に携帯電話への適用を考慮した二軸ヒンジであり、耐久性や良好なフィーリングを実現することを目的としたものである旨、記載されている。
特許文献２に示された回転機構は、先端部が略球形の圧接部材を組み込んだ圧接部が２個以上構成された回転側部材と、圧接部と当接し、クリックを発生するために１つ以上の径方向に伸びた溝を形成した摺動部材を密着させ、圧接部材と摺動部材とを弾性的に圧接させることにより、回転時の摺動摩擦トルクとクリックトルクを発生させるものである。
【０００８】
特許文献２に示された二軸ヒンジは、携帯電話本体に回転軸部材が取付けられ、この回
転軸部材に挿通された回転側部材に開閉軸が取付けられている構造であり、従って回転軸部材および回転側部材の直径には大きな制約がない。従って、回転側部材に圧接部材を２個以上組み込むことも可能となるが、例えば図１４、１５に示された携帯電話機のように機器本体１に開閉ヒンジ３が取付けられていて、開閉ヒンジ３に回転ヒンジ４を取付けた構造を実現しようとした場合には、基本的には回転ヒンジ機構の直径を、回転軸が固定されているディスプレイ部２の厚さ以上に大きくすることは困難であるため、特許文献２に示された二軸ヒンジの構造を採用することはできない。
【０００９】
従来、クリックトルクや摺動トルクを付与した一般的なヒンジ機構として、表面に凹部と凸部を有する２枚の円盤を相対させて回転させ、凸部が凹部に嵌合した状態から、回転力によって脱出する時と、逆に摺動状態から嵌合する時にそれぞれクリック感を生ずるようになっているものが公知であるが、多数回におよぶ回転によって摺動面が摩耗し、脱出トルクが著しく大きくなったり、クリック感が小さくなったり、クリック位置が変化したり、またぐらぐらしたりする問題があった。
【特許文献１】特開2002-155923号公報
【特許文献２】特開2005-127449号公報
【発明の開示】
【発明が解決しようとする課題】
【００１０】
本発明の課題は、回転機構部分の直径が小さく、かつ少ない部品点数で高級なクリック感と高い耐久性を有するヒンジの新規な構造を提案するものである。
【課題を解決するための手段】
【００１１】
上記の課題を解決するための手段として、請求項１に記載の発明は、相対的に回転可能であり、表面同士が対面しかつ押圧された、表面に凸部を有する凸ディスクと、表面に凹部を有する凹ディスクとを有するヒンジにおいて、前記凸ディスクの凸部と前記凹ディスクの凹部が嵌合した状態から回転して脱出するまでの間、凸部の稜線と凹部の稜線の角度が一致しないように、凸ディスクの凸部の広がり角度を凹ディスクの凹部の広がり角度より大きくし、かつ凸ディスクの凸部の広がり角度中心を回転中心からずらす事によって、常に押し合う傾斜面が斜めに当たり、点接触するようにしたことを特徴とするヒンジである。
【００１２】
また、請求項２に記載の発明は、前記凸部の稜線と前記凹部の稜線のいずれか一方かまたは両方がアール加工されていることを特徴とする請求項１に記載のヒンジである。
【００１３】
また、請求項３に記載の発明は、前記凸ディスクと随伴して回転する第一の取付け部材と前記凹ディスクと随伴して回転する第二の取付け部材を有することを特徴とする請求項１または２に記載のヒンジである。
【００１４】
また、請求項４に記載の発明は、前記第二の取付け部材と前記凹ディスクが一体であることを特徴とする請求項３に記載のヒンジである。
【００１５】
また、請求項５に記載の発明は、前記第一の取付け部材と前記第二の取付け部材の相対的回転角度を規制する回転規制手段を有することを特徴とする請求項３または４に記載のヒンジである。
【００１６】
また、請求項６に記載の発明は、請求項１〜５のいずれか１項に記載のヒンジが、他のヒンジの可動部に固定されていることを特徴とする二軸ヒンジである。
【発明の効果】
【００１７】
本発明に係るヒンジは、相対的に回転可能であり、表面同士が対面しかつ押圧された、表面に凸部を有する凸ディスクと、表面に凹部を有する凹ディスクとを有するヒンジにおいて、前記凸ディスクの凸部と前記凹ディスクの凹部が嵌合した状態から回転して脱出するまでの間、凸部の稜線と凹部の稜線の角度が一致しないように、凸ディスクの凸部の広がり角度を凹ディスクの凹部の広がり角度より大きくし、かつ凸ディスクの凸部の広がり角度中心を回転中心からずらす事によって、常に押し合う傾斜面が斜めに当たり、点接触するようにしたことを特徴とするヒンジであるから、凸ディスクと凹ディスクが嵌合した状態から脱出する時に、極端に大きなトルクを必要とせず、滑らかに脱出することができ、また摺動状態から嵌合する時も、同様に滑らかに嵌合するので、クリック感が滑らかであり、高級な使用感が得られる。
【００１８】
また、凸ディスクの凸部は、凹ディスクの凹部に完全に嵌合することはなく、常に点接触で引っ掛かった状態であり嵌合状態での遊びがないため、嵌合状態において定位置が変化したりぐらぐらしたりすることがない。
【００１９】
また、本発明に係るヒンジにおけるこれらの性質は、トルク発生手段の構造そのものからもたらされるものであるから、多数回の使用によってもその特性が変化することがなく、耐久性に優れている。
【００２０】
凸ディスクの凸部の稜線または凹ディスクの凹部の稜線のいずれか一方かまたは両方がアール加工されている場合には、上に述べた回転時の滑らかさや耐久性等がさらに向上する。
【００２１】
凸ディスクと随伴して回転する第一の取付け部材と凹ディスクと随伴して回転する第二の取付け部材を有する場合には、機器への取付けが確実容易に行われる。またそれぞれの取付け部材の構造を変化させることにより、さまざまな用途に応用することができる。
【００２２】
第二の取付け部材と凹ディスクが一体である場合には、部品数が減り、全体の構造が簡略化されるので、コンパクトなヒンジを実現できる。
【００２３】
第一の取付け部材と第二の取付け部材の相対的回転角度を規制する回転規制手段を有する場合には、例えば携帯電話機のディスプレイ部に用いる回転ヒンジのように、接続する二つの部材間に配線が必要とされるような場合であっても、一方向に無制限に回転することによって配線がちぎれてしまうといった問題が生じることがない。
【００２４】
本発明に係るヒンジを、他のヒンジの可動部に固定した二軸ヒンジにあっては、小型でありながら十分な耐久性と高級な使用感を実現することができるので、携帯電話機等の用途に好適に使用できる。
【発明を実施するための最良の形態】
【００２５】
本発明に係るヒンジについて、図面に基づいて詳細に説明する。
本発明に係るヒンジは、携帯電話機や情報端末等の小型機器に特に好適に使用されるものであり、図１４及び図１５は、携帯電話機のディスプレイ部の開閉、回転機構に用いた例を示した斜視図である。
図１４の例では、携帯電話機本体１に開閉ヒンジ３が取付けられており、この開閉ヒンジ３の可動部に回転ヒンジ４が取付けられて、２軸ヒンジを形成している。図１４では、開閉ヒンジ３がディスプレイ部２を閉じた状態から約１７０度開いており、回転ヒンジ４は、原点の状態にある。図１５においては、開閉ヒンジ３は約１００度開いた状態であり、回転ヒンジ４は原点から約８０度右方向に回転した状態である。この例では、回転ヒンジ４は、原点位置から１８０度回転可能であり、原点位置及び１８０度回転した位置でクリックストップするようになっている。
【００２６】
図１４、１５に示された使用例においては、開閉ヒンジ３の機構部分は、直径約5mmのシャフト内部に内蔵されており、回転ヒンジ４の機構部分は、その大半の部分が開閉ヒンジ３の可動部内部に収納されている。従って開閉ヒンジ、回転ヒンジの機構部分は、ともに可能な限り小型であることが必要条件となる。
【００２７】
またこの使用例においては、開閉ヒンジ３、回転ヒンジ４の特性として、クリックストップする原点位置ならびに１８０度回転した位置における停止角度の正確さとこの繰り返し精度が求められる。またクリックストップする時の感触ならびにクリックストップ位置から回転を始める時の感触が問題とされ、滑らかな動作感が求められている。さらにこの開閉動作および回転動作を１万回以上繰り返した時の耐久性も必要となる。本発明に係るヒンジは、このような要求品質をすべて満足するものとなっている。
【００２８】
図１は、本発明に係るヒンジの一実施形態を示した斜視図であり、携帯電話機用の回転ヒンジに応用した例を示したものである。図２は、図１のＡＡ断面を示した断面説明図である。また図３は、図１に示したヒンジの部品展開図である。以下の説明は、図１〜３を併用して行う。
本発明に係るヒンジ６は、相対的に回転可能であり、表面に凸部４１を有する凸ディスク４０と、表面に凹部５１を有する凹ディスク５０とが、表面同士を対面した状態で、ディスク押圧手段３０によって押圧されており、これらがトルク発生手段を形成している。
【００２９】
本実施形態においては、凹ディスク５０が第二の取付け部材２０を兼ねているが、凹ディスク５０と第二の取付け部材２０とは、随伴して回転する構造でさえあれば、別々の部品であってももちろん良い。また本実施形態においては、シャフト６０を介して凸ディスク４０、凹ディスク５０が相対的に回転可能となっているが、凸ディスク４０と凹ディスク５０とが相対的に回転可能な構造でさえあれば、中心にシャフトのない構造であっても良い。
【００３０】
本実施形態においては、凹ディスク５０が第二の取付け部材２０を兼ねているので、凹ディスク５０には、取付けねじ孔５３が設けられており、これを利用して一方の部品に取付けることができる。また凹ディスク５０には、中央にシャフト挿入孔５２が設けられており、シャフト６０が挿入可能となっている。シャフト６０は、回転中心５を中心として回転可能である。また本実施形態においては、シャフト６０に固定された第一の取付け部材１０の回転を０度〜１８０度に規制するための回転規制手段としてストッパー５５が取付けられている。ストッパー５５は、ストッパー取付け突起５６が凹ディスク５０に設けられたストッパー取付け孔５４に嵌合することによって凹ディスク５０に固定されている。
【００３１】
シャフト６０には、円周から一方向に突出した突出部を持った回転規制カム６２が固定されており、シャフト６０と一体として回転する。この突出部がストッパー５５に当接することにより、０度〜１８０度の回転規制がもたらされるようになっている。
【００３２】
シャフト６０を構成する異形断面シャフト６１は、円筒形を両側から部分的に平面に切削した小判型の形状となっている。異形断面シャフト６１の端部には、取付け用突起６３が設けられており、第一の取付け部材１０に設けられた異形断面シャフト固定孔１１に嵌合して固定されるようになっている。
【００３３】
異形断面シャフト６１には、凹ディスク５０、凸ディスク４０、ディスク押圧手段である皿ばね３１、３２、およびカバー３３が挿入されるようになっている。
これらをすべて挿入した状態で異形断面シャフト６１の先端にある取付け用突起６３を
第一の取付け部材１０の異形断面シャフト固定孔１１に嵌合して固定することにより、ヒンジ６が完成する。取付け用突起６３と第一の取付け部材１０との固定方法としては、取付け用突起６３の先端をかしめる方法や溶接、ねじ留め等任意である。
【００３４】
凸ディスク４０には、異形断面シャフト６１の断面形状に嵌合する異形断面シャフト挿入孔４２が設けられており、このため凸ディスク４０は、シャフト６０と随伴して回転することができる。また、異形断面シャフト６１に沿って軸方向に移動することができる。シャフト６０は、第一の取付け部材１０に固定されているので、凸ディスク４０は、第一の取付け部材１０と随伴して回転することができる。
【００３５】
第一の取付け部材１０には、取付け孔１２が設けられているので、これを利用してヒンジ６を目的とする部品に取付けることができる。このようにして、一方の部品と他方の部品とをヒンジ６で結合することが可能となる。
なお、ヒンジを部品に取付けるために、取付け部材は、必ずしも必要ではなく、取付ける部品の構造によっては不要な場合もある。
【００３６】
本実施形態においては、ディスク押圧手段３０として２枚の皿ばね３１、３２を用いているが、目的とするヒンジの特性に応じて皿ばね以外の、コイルばね、つるまきばね、ゴム板等も使用可能である。また皿ばねの枚数を増減することもできる。
【００３７】
カバー３３は、凸ディスク４０や押圧手段３０等の機構部分のカバーの役割を果たすと同時に、皿ばね３１、３２を凸ディスク４０に押圧するためのばね押さえの役割も果している。
【００３８】
図４は、凸ディスクの平面模式図であり、凸ディスク４０を凸部４１の側から見た状態を示している。凸ディスク４０には、２個の凸部４１が回転中心５を中心として対称に設けられている。凸部４１は、凸ディスク４０の平面部から凸部斜面４３を経て扇形に盛り上がった状態に形成されており、凸部４１の上面は平面となっている。凸部斜面４３と凸部４１の境目は凸部稜線４４を形成している。
凸ディスク４０の中心には、異形断面シャフト６１の断面形状とほぼ等しく、異形断面シャフト６１が嵌合することができる異形断面シャフト挿入孔４２が設けられている。このため、凸ディスク４０は、異形断面シャフト６１と随伴して回転すると共に、異形断面シャフト６１に沿って軸方向に移動することができる。
【００３９】
凸部４１の広がり角度４５は、ひとつの凸部の２本の凸部稜線４４のなす角度に相当する。凸部の広がり角度４５の中心４６は、回転中心５とずれた位置にあり、この凸部の広がり角度中心のずれ４７を設けたことが、本発明における重要な技術的要素となっている。
【００４０】
図５は、凹ディスクの平面模式図である。本図は、図３に示された凹ディスク５０の中央部分のみを拡大した図である。
凹ディスク５０には、２個の凹部５１が回転中心５を中心として対称に設けられている。凹部５１は、凹ディスク５０の平面部から凹部斜面５７を経て溝状に形成されており、凹部５１の底面は平面となっている。凹部斜面５７と平面部の境目は凹部稜線５８を形成している。
凹ディスク５０の中心には、シャフト６０が回転自在に嵌合可能なシャフト挿入孔５２が設けられている。
【００４１】
凹ディスク５０の凹部の広がり角度５７は、前記凸ディスク４０の凸部の広がり角度４
５よりも小さくすることが好ましい。具体的には、例えば凸部の広がり角度４５が４０度であれば、凹部の広がり角度５９を３６度程度とする。このようにすることにより、凸部４１が凹部５１に完全に嵌まり込んでしまうことはなく、嵌合した状態であっても完全に嵌まり込まず途中で引っ掛かった状態となる。このため、確実に一定の角度に収り、ぐらつきがなく、位置決めが可能になる。
【００４２】
図６および図７は、凸ディスクと凹ディスクの位置関係を示した断面説明図である。
図６は、凸ディスク４０の凸部４１と凹ディスク５０の凹部５１が嵌合状態にある図であるが、凹部の広がり角度５９よりも凸部の広がり角度４５が大きいため、図に示されたように凸部４１は凹部５１に完全に嵌まり込むことはなく、途中で引っ掛かった状態となる。また本図では分かり難いが、凸ディスク４０の凸部の広がり角度中心４６が、回転中心５すなわち凹ディスク５０の凹部の広がり角度中心よりもずれた位置にあるため、凸ディスク４０と凹ディスク５０とは面接触も線接触もすることはなく、常に点接触することになる。
【００４３】
この凸ディスクにおける凸部の広がり角度中心のずれとしては、凸ディスクの直径の２〜３％程度が好ましい。
【００４４】
図７は、凸ディスク４０が回転して嵌合状態から脱出しようとする状態を示した図である。本図では分かり難いが、凸ディスク４０の回転に伴い、凸ディスク４０の凸部４１は、凸部稜線４４と凹部稜線５８が点接触しながら凹ディスク５０の表面に乗り上げていく。凸ディスク４０と凹ディスク５０とは、ディスク押圧手段３０によって常に押し付けられているので、この乗り上げの過程に伴う抵抗がクリックトルクを発生させる。
また凸ディスク４０の凸部４１が凹ディスク５０の平面上に完全に乗り上げた後は、平面同士が摺動するので、摺動トルクが発生する。
【００４５】
ヒンジの品質特性として、クリックストップ位置から他のクリックストップ位置に至る過程におけるトルク特性が、重視されるようになってきているが、このトルク特性は、主に以下の要素からなっている。クリックストップ位置すなわち、本発明に係るヒンジであれば、凸ディスクと凹ディスクの嵌合状態からの脱出トルクと安定回転状態における摺動トルクと再び嵌合状態に入る時の嵌入トルクおよびこの嵌入トルクが発生し始める角度（吸い込み角）である。
【００４６】
嵌合状態から脱出する際において、凸ディスクと凹ディスクが面接触していたり、線接触していたりした場合、脱出する際の抵抗が大きく、脱出トルクが著しく大きくなる傾向がある。この傾向は、長期間の使用によって接触面が摩耗した場合に特に顕著となる。
また、接触面が摩耗した場合、クリックストップ位置が安定せず、ぐらぐらする状態になりやすい。
【００４７】
本発明に係るヒンジにおいては、既に述べたように凸ディスクと凹ディスクの接触が常に点接触であるから、脱出トルクが小さく、また回転も滑らかになる。また点接触の利点として、位置が確実に決まるので、ストップ位置がずれたり、ぐらぐらしたりすることがない。
【００４８】
凸部稜線４４と凹部稜線５８のいずれか一方かまたは両方がアール加工されている場合には、さらに滑らかさが向上し、回転ヒンジの耐久性もまた向上する。アールの大きさとしては、0.1ｍｍ〜0.5ｍｍ程度が好ましい。
凸ディスク４０と凹ディスク５０の材質については、耐磨耗性に優れた丈夫な材質であることが必要であり、鋼に浸炭焼入れを施し、さらに表面に硬質クロムめっきを行うなどの耐摩耗性表面処理加工を施すことが好ましい。また、これらの摺動面には、グリース等の
潤滑剤を浸漬させて滑りやすくすることがさらに好ましい。
以上説明したヒンジにおいては、凸ディスクと凹ディスクが１枚づつである場合について説明してきたが、ヒンジの用途によっては、凸ディスクと凹ディスクの組み合わせからなるトルク発生手段を複数具備することも可能である。
【００４９】
本発明に係るヒンジは、上に述べてきたように小型機器用の回転ヒンジとして特に好適に用いられるものであるが、小型機器用の開閉ヒンジや、より大型のヒンジ例えばドアの開閉ヒンジ等にも用いることができる。図１６は、本発明に係るヒンジの他の実施形態を示した斜視展開図であり、携帯電話機の開閉ヒンジに応用した例である。
【００５０】
図１６に示された実施形態においては、２枚の凹ディスク５０が左右の第二の取付け部材２０に取付けねじ穴５３を介してねじによって固定されており、それぞれの凹ディスクに凸ディスク４０が対面し、押圧手段３０であるコイルばねによって押圧されている。凸ディスク４０には、上下に切れ込み４８が設けてあり、第一の取付け部材１０の内側に設けた嵌合突起１３に嵌合するようになっているため、凸ディスク４０と第一の取付け部材１０とは、随伴して回転する。２枚の凸ディスク４０とコイルばねは、第一の取付け部材１０の内部に収納される。第一の取付け部材１０と第二の取付け部材２０とは、スリーブ２１によって嵌合して、回転するようになっているため、この実施形態においては、シャフトは存在しない。
以下実施例に基づいて、本発明に係るヒンジについてさらに具体的に説明する。
【実施例】
【００５１】
図１〜３に示した部品構成ならびに形状を有する回転ヒンジを作成した。
凸ディスクおよび凹ディスクの仕様を以下の通りとした。
凸ディスクの直径      5.6ｍｍ
凸ディスクの厚さ      0.5ｍｍ
凸部の高さ            0.3ｍｍ
凸部の広がり角度      40°
凸部の広がり角度中心のずれ    0.16ｍｍ
凸部稜線のアール      0.20ｍｍ
凹ディスクの直径（第二の取付け部材の幅）      7.0ｍｍ
凹ディスクの厚さ      1.4ｍｍ
凹部の深さ            0.31ｍｍ
凹部の広がり角度      35.8°
【００５２】
図８、９は実施例における凸ディスクと凹ディスクの関係を示した平面説明図である。図８（１）は、凸ディスクの回転角が０°すなわち嵌合状態を示している。
図８（２）は、凸ディスクの回転角が１°の状態を示している。
図８（３）は、同様にして２°の状態、（４）は、３°の状態を示している。
図９（１）は、同様にして４°の状態、（２）は、５°の状態を示している。
図中、細かい斜線の部分は、凸ディスクの凸部斜面４３を、また粗い斜線の部分は、凹ディスクの凹部斜面５７を示している。
【００５３】
図８（１）において、凸ディスクの凸部４１は、凹ディスクの凹部５１に嵌合した状態となっているが、凸部の広がり角度が凹部の広がり角度より大きいため、凸部４１は、凹部５１に完全に嵌まり込むことはなく、途中で引っ掛かった状態となっている。また凸部の広がり角度中心がずれているため、凸部稜線４４と凹部稜線５８の角度が一致することはなく、凸ディスクと凹ディスクは、面や線で接触せず、点で接触している。
図８（２）において、凸ディスクが回転すると、凸ディスクの凸部４１は脱出して凹ディスクの平面に乗り上げていく。この時、両ディスクの接触点は移動して行くが、常に点接
触の状態を保っている。
【００５４】
図８（３）において、凸ディスクの回転角が２°になると、両ディスクの点接触はほぼ完了し、脱出が完了する。図８（４）において、凸ディスクの回転角が３°の状態では、凸ディスクの凸部４１が凹ディスクの平面部に乗り上がるので、以後は面同士の摺動状態となる。図９（１）、（２）においても凸ディスクと凹ディスクの関係は変わらず、面同士の摺動状態が続く。
【００５５】
図１０は、実施例における凸ディスクの回転角とトルクの関係を示したグラフである。グラフにみられるように、０°から脱出トルクはなだらかに上昇し、クリックを過ぎて一旦下降し、摺動状態においては、摺動トルクが安定して推移した後、嵌入トルクへとなだらかに下降する。
このグラフのようにトルクが変化する場合には、非常になめらかな使用感と高級感のあるクリック感が得られる。この実施例においては、１万回以上の繰り返し試験によっても、トルクの変化が少なく、安定していた。
＜比較例１＞
【００５６】
実施例と同様の構成のヒンジにおいて、凸ディスクと凹ディスクの仕様を以下のように変更した。
凸ディスクの直径      変更なし
凸ディスクの厚さ      変更なし
凸部の高さ            変更なし
凸部の広がり角度      40°（変更なし）
凸部の広がり角度中心のずれ    ずれなし
凸部稜線のアール      0.20ｍｍ（変更なし）
凹ディスクの直径（第二の取付け部材の幅）      変更なし
凹ディスクの厚さ      変更なし
凹部の深さ            変更なし
凹部の広がり角度      40°
【００５７】
図１１は、比較例１における凸ディスクの回転角とトルクの関係を示したグラフである。なお、グラフ図中の実線が比較例１における回転角とトルクの関係を示しており、比較のために上記実施例における回転角とトルクの関係を点線にて、グラフ図中に合わせて記している。グラフに見られるように、比較例１においては、嵌合状態から抜け出す脱出トルクが著しく大きく、また滑らかさに欠ける。また、１８０度に近づいた時の嵌入トルクが開始する角度（吸い込み角）は、実施例の場合よりも小さく、急激である。また、ディスク表面の仕上げ状態のばらつきや回転の繰り返しによる摩耗によって脱出トルクや、摺動トルクが大きく変化する傾向が見られた。また、脱出トルクを小さくするようにばねを弱くすると、摺動トルクが小さくなりすぎるなど、バランスがとれなかった。
＜比較例２＞
【００５８】
実施例と同様の構成のヒンジにおいて、凸ディスクと凹ディスクの仕様を以下のように変更した。
凸ディスクの直径      変更なし
凸ディスクの厚さ      変更なし
凸部の高さ            変更なし
凸部の広がり角度      40°（変更なし）
凸部の広がり角度中心のずれ    0.16ｍｍ（変更なし）
凸部稜線のアール      0.20ｍｍ（変更なし）
凹ディスクの直径（第二の取付け部材の幅）      変更なし
凹ディスクの厚さ      変更なし
凹部の深さ            変更なし
凹部の広がり角度      40°
【００５９】
図１２は、比較例２における凸ディスクの回転角とトルクの関係を示したグラフである。なお、グラフ図中の実線が比較例１における回転角とトルクの関係を示しており、比較のために上記実施例における回転角とトルクの関係を点線にて、グラフ図中に合わせて記している。グラフに見られるように、比較例２においては、脱出トルクが大きく滑らかさに欠ける点は、比較例１の場合とあまり変わらないが、１８０度に近づいた時の嵌入トルクが開始する角度（吸い込み角）は、比較例１の場合よりも大きく、ゆるやかになった。
＜比較例３＞
【００６０】
実施例と同様の構成のヒンジにおいて、凸ディスクと凹ディスクの仕様を以下のように変更した。
凸ディスクの直径      変更なし
凸ディスクの厚さ      変更なし
凸部の高さ            変更なし
凸部の広がり角度      40°（変更なし）
凸部の広がり角度中心のずれ    ずれなし
凸部稜線のアール      0.20ｍｍ（変更なし）
凹ディスクの直径（第二の取付け部材の幅）      変更なし
凹ディスクの厚さ      変更なし
凹部の深さ            変更なし
凹部の広がり角度      35.8°（変更なし）
【００６１】
図１３は、比較例３における凸ディスクの回転角とトルクの関係を示したグラフである。なお、グラフ図中の実線が比較例１における回転角とトルクの関係を示しており、比較のために上記実施例における回転角とトルクの関係を点線にて、グラフ図中に合わせて記している。グラフに見られるように、比較例３においては、回転初めのトルクは低目であり、トルクの上昇もなめらかではあるが、脱出の終わりにトルクが一気に下がり、違和感があった。
【図面の簡単な説明】
【００６２】
【図１】本発明に係るヒンジの一実施形態を示した斜視図。
【図２】図１のＡＡ断面を示した断面説明図。
【図３】図１に示したヒンジの部品展開図。
【図４】凸ディスクの平面模式図。
【図５】凹ディスクの平面模式図。
【図６】凸ディスクと凹ディスクの位置関係を示した断面説明図。
【図７】凸ディスクと凹ディスクの位置関係を示した断面説明図。
【図８】実施例における凸ディスクと凹ディスクの関係を示した平面説明図。（１）は、凸ディスクの回転角が０°の状態。（２）は、凸ディスクの回転角が１°の状態。（３）は、凸ディスクの回転角が２°の状態。（４）は、凸ディスクの回転角が３°の状態。
【図９】実施例における凸ディスクと凹ディスクの関係を示した平面説明図。（１）は、凸ディスクの回転角が４°の状態。（２）は、凸ディスクの回転角が５°の状態。
【図１０】実施例における凸ディスクの回転角とトルクの関係を示したグラフ。
【図１１】比較例１における凸ディスクの回転角とトルクの関係を示したグラフ。
【図１２】比較例２における凸ディスクの回転角とトルクの関係を示したグラフ。
【図１３】比較例３における凸ディスクの回転角とトルクの関係を示したグラフ。
【図１４】本発明に係るヒンジを用いた携帯電話機の斜視図。
【図１５】図１４に示した携帯電話機のディスプレイ部を回転した状態を示した斜視図。
【図１６】本発明に係るヒンジの他の実施形態を示した斜視展開図。
【符号の説明】
【００６３】
１・・・携帯電話機本体
２・・・ディスプレイ部
３・・・開閉ヒンジ
４・・・回転ヒンジ
５・・・回転中心
６・・・ヒンジ
１０・・・第一の取付け部材
１１・・・異形断面シャフト固定孔
１２・・・取付け孔
１３・・・嵌合突起
２０・・・第二の取付け部材
２１・・・スリーブ
３０・・・ディスク押圧手段
３１・・・皿ばね１
３２・・・皿ばね２
３３・・・カバー
４０・・・凸ディスク
４１・・・凸部
４２・・・異形断面シャフト挿入孔
４３・・・凸部斜面
４４・・・凸部稜線
４５・・・凸部の広がり角度
４６・・・凸部の広がり角度中心
４７・・・凸部の広がり角度中心のずれ
４８・・・切れ込み
５０・・・凹ディスク
５１・・・凹部
５２・・・シャフト挿入孔
５３・・・取付けねじ孔
５４・・・ストッパー取付け孔
５５・・・ストッパー
５６・・・ストッパー取付け突起
５７・・・凹部斜面
５８・・・凹部稜線
５９・・・凹部の広がり角度
６０・・・シャフト
６１・・・異形断面シャフト
６２・・・回転規制カム
６３・・・取付け用突起
【図１】
2010019357.tif 000003
【図２】
2010019357.tif 000004
【図３】
2010019357.tif 000005
【図４】
2010019357.tif 000006
【図５】
2010019357.tif 000007
【図６】
2010019357.tif 000008
【図７】
2010019357.tif 000009
【図８】
2010019357.tif 000010
【図９】
2010019357.tif 000011
【図１０】
2010019357.tif 000012
【図１１】
2010019357.tif 000013
【図１２】
2010019357.tif 000014
【図１３】
2010019357.tif 000015
【図１４】
2010019357.tif 000016
【図１５】
2010019357.tif 000017
【図１６】
2010019357.tif 000018